(57)【要約】【解決手段】球状表面に、所定の広さの部分をとり囲むように非円形形状を描いて延びるリッジ部を一体に突設してなることを特徴とするゴルフボール。【効果】本発明のゴルフボールによれば、球状表面に、非円形形状リッジ部を一体に突設することによって、打球の空気抵抗が減少し、ゴルフボールの飛び性能を飛躍的に増大させることが可能となる。【選択図】  図１
2004194774.tif 000002
【特許請求の範囲】
【請求項１】
球状表面に、所定の広さの部分をとり囲むように非円形形状を描いて延びるリッジ部を一体に突設してなることを特徴とするゴルフボール。
【請求項２】
上記非円形形状を描いて延びるリッジ部が、多角形状を呈している請求項１記載のゴルフボール。
【請求項３】
上記非円形形状を描いて延びるリッジ部内及び／又は同リッジ部外の部分に、このリッジ部と相似形状のより小さいリッジ部を有する請求項１又は２記載のゴルフボール。
【請求項４】
上記非円形形状を描いて延びるリッジ部内及び／又は同リッジ部外の部分に、円形環状に延びるリッジ部を有する請求項１，２又は３記載のゴルフボール。
【請求項５】
上記非円形形状を描いて延びるリッジ部内及び／又は同リッジ部外の部分に、直線状に延びるリッジ部を有する請求項１乃至４のいずれか１項に記載のゴルフボール。
【請求項６】
上記非円形形状を描いて延びるリッジ部内及び／又は同リッジ部外の部分に、楔状に屈曲して延びるリッジ部を有する請求項１乃至５のいずれか１項に記載のゴルフボール。
【請求項７】
球状表面に窪みを形成した請求項１乃至６のいずれか１項に記載のゴルフボール。
【請求項８】
上記リッジ部の頂部が、円弧状の輪郭を有する請求項１乃至７のいずれか１項に記載のゴルフボール。
【請求項９】
上記円弧状輪郭の曲率半径が０．２〜２．０ｍｍである請求項８記載のゴルフボール。
【請求項１０】
球状表面を基準とした前記リッジ部の高さが０．０５〜０．４ｍｍである請求項１乃至９のいずれか１項に記載のゴルフボール。
【請求項１１】
球状表面を基準とした前記窪みの深さが０．０５〜０．４ｍｍである請求項７記載のゴルフボール。
【請求項１２】
上記非円形形状を描いて延びるリッジ部が球面８面体、２０面体等球面多面体に準拠して配置されている請求項１乃至１１のいずれか１項に記載のゴルフボール。
【請求項１３】
ゴルフボールの大円に沿って延びるリッジ部を有する請求項１乃至１２のいずれか１項に記載のゴルフボール。
【発明の詳細な説明】
【０００１】
【発明の属する技術分野】
本発明は、外観が斬新で、飛び特性に優れたゴルフボールに関する。
【０００２】
【従来の技術】
ゴルフボールにおいて、打ち出されたボールが大きな飛距離を得るためには、ボール自体に備わる高反発性と、ボール表面に配置されたディンプルによる飛行時の空気抵抗の低減が重要であることは周知であり、空気抵抗の低減のため、できるだけ高密度に且つ均等にディンプルをボール表面全体に配列する方法が種々提案されている。
ここで、通常用いられるディンプルの形状は平面視円形の窪みである。この様な円形ディンプルを高密度に配置するため、例えば隣合った２つのディンプルを区画する陸部の幅を零近くまで小さくしたとしても、配置されたディンプルの３個又は４個に囲まれた部分には、一定の広さを有する三角形状、四角形状等の、ある程度の大きさを有する陸部が形成されることとなる。一方、球面上には、ディンプルを可及的均等に配置することが不可欠であるため、円形ディンプルの配置密度はある程度妥協せざるを得ない。
【０００３】
この様な背景のもとで、ディンプルを密度高く、均等に配置することを目的とし、直径が２〜５種類程度と異なるディンプルを、ボール球面を正八面体或いは正二十面体に見立てて配置することが行われている（例えば、特許文献１参照。）。
しかしながら、上記円形ディンプルを用いる限り、球面面積全体に対する総ディンプル面積の占有率は７５％前後（又は陸部面積の占有率は２５％前後）が実用上限度である。このため、ボール表面に配置されたディンプルによって、飛行時の空気抵抗を更に低減すべく、球面面積全体に対する総ディンプル面積の占有率を更に向上させることが求められていた。
【０００４】
【特許文献１】
特開平２００１−２１２２６０号公報
【０００５】
【発明が解決しようとする課題】
本発明は上記事情に鑑みなされたもので、飛び性能に優れ、しかも、その表面のデザインが斬新なゴルフボールを提供することを目的とする。
【０００６】
【課題を解決するための手段】
本発明者は、上記目的を達成するため鋭意検討の結果、球状表面に、所定の広さの部分をとり囲むように非円形形状を描いて延びるリッジ状陸部をデザイン上斬新にバランス良く配置することによって、より具体的には、非円形の閉ループ状を有するリッジ部を、球状表面に配設することによって、優れた飛び性能を有するゴルフボールが得られることを知見し、本発明をなすに至った。
【０００７】
すなわち、本発明は下記のゴルフボールを提供するものである。
請求項１：
球状表面に、所定の広さの部分をとり囲むように非円形形状を描いて延びるリッジ部を一体に突設してなることを特徴とするゴルフボール、
請求項２：
上記非円形形状を描いて延びるリッジ部が、多角形状を呈している請求項１記載のゴルフボール、
請求項３：
上記非円形形状を描いて延びるリッジ部内及び／又は同リッジ部外の部分に、このリッジ部と相似形状のより小さいリッジ部を有する請求項１又は２記載のゴルフボール、
請求項４：
上記非円形形状を描いて延びるリッジ部内及び／又は同リッジ部外の部分に、円形環状に延びるリッジ部を有する請求項１，２又は３記載のゴルフボール、
請求項５：
上記非円形形状を描いて延びるリッジ部内及び／又は同リッジ部外の部分に、直線状に延びるリッジ部を有する請求項１乃至４のいずれか１項に記載のゴルフボール、
請求項６：
上記非円形形状を描いて延びるリッジ部内及び／又は同リッジ部外の部分に、楔状に屈曲して延びるリッジ部を有する請求項１乃至５のいずれか１項に記載のゴルフボール、
請求項７：
球状表面に窪みを形成した請求項１乃至６のいずれか１項に記載のゴルフボール、
請求項８：
上記リッジ部の頂部が、円弧状の輪郭を有する請求項１乃至７のいずれか１項に記載のゴルフボール、
請求項９：
上記円弧状輪郭の曲率半径が０．２〜２．０ｍｍである請求項８記載のゴルフボール、
請求項１０：
球状表面を基準とした前記リッジ部の高さが０．０５〜０．４ｍｍである請求項１乃至９のいずれか１項に記載のゴルフボール、
請求項１１：
球状表面を基準とした前記窪みの深さが０．０５〜０．４ｍｍである請求項７記載のゴルフボール、
請求項１２：
上記非円形形状を描いて延びるリッジ部が球面８面体、２０面体等球面多面体に準拠して配置されている請求項１乃至１１のいずれか１項に記載のゴルフボール、
請求項１３：
ゴルフボールの大円に沿って延びるリッジ部を有する請求項１乃至１２のいずれか１項に記載のゴルフボール。
【０００８】
従来、ゴルフボールの球状表面にディンプル（窪み）を形成する際には、球状表面に占めるディンプルの占有率が大きい程ボールの飛び性能が良いことが知られているが、本発明は、外観上、球面をえぐるように形成したディンプルをゴルフボール球面上に配置するのではなく、球状表面に、所定の広さの部分をとり囲むように非円形形状を描いて延びるリッジ部（以下、「所定の広さの部分をとり囲むように非円形形状を描いて延びるリッジ部」を「非円形形状リッジ部」と略記することがある。）を一体に突設し、このリッジ部によって形成されるゴルフボール表面形状に着眼したものである。
即ち、リッジ部の頂部位置に球面を仮想すると、リッジ部の頂部表面は、上述した従来の技術でいうところの、ディンプルの配設によって形成される「球状表面としての陸部（球状表面の残部）」に相当するものである。
従って、リッジ部の頂部表面積が、ゴルフボール表面積に占める割合を低減することにより、従来の技術でいうところの、ディンプルの配設によって形成される球状表面としての陸部（球状表面の残部）総面積が球面面積全体に占める割合を低減するのと同様の効果を得ることができる。
しかも、本発明は、上記リッジ部を、球状表面に所定の広さの部分をとり囲むように非円形形状を描いて延びるように形成し、その複数をバランスよく球状表面に配設することによって、ゴルフボールの飛行時における空気力学的性能を向上させ、ゴルフボールのより大きな飛距離を実現するものである。
【０００９】
本発明において用いられる、上記非円形形状リッジ部としては、円形以外の形状をなしてゴルフボール球状表面を区画するように連なる閉ループ状のリッジ部であれば特に限定されるものではないが、中でも、三角形状、四角形状、五角形状等の凸多角形状（好ましくは正凸多角形状）、星形状等の凹多角形状（好ましくは正凹多角形状）の形状をなして連なる閉ループ状のリッジ部から選ばれる１種又は２種以上であることが好適である。
さらに本発明のゴルフボールの球状表面には、上記非円形形状リッジ部に加え、美観その他本発明の目的を損なわない限り、種々形状のリッジ部を混用しても良い。このような種々形状のリッジ部の具体例としては、円形環状リッジ部、直線状リッジ部、楔状リッジ部、ゴルフボールの最大円に沿って延びるリッジ部、多少変形した円形環状リッジ部等が挙げられる。なお、上記最大円のリッジ部を本発明のゴルフボールに採用する際、ゴルフボールの成形に使用される二分割タイプ金型のパーティングライン（金型の球状キャビティの赤道位置）と一致させて設けた場合、ボール成形時に、金型のパーティングライン上に生じるバリ除去工程における仕上げ加工（トリミング）を容易にすることができるため好適である。
【００１０】
また、本発明のゴルフボールを成形するための金型作製には、３ＤＣＡＤ・ＣＡＭを使用し、反転用マスター型に、全表面形状を直接３次元で削りだす方法、或いは、成形用金型のキャビティ部を直接３次元で削りだす方法を用いることができる。
【００１１】
本発明において、上記非円形形状リッジ部の大きさについては特に制限はなく、小から大まで如何様でも良い。
本発明においては、上記非円形形状リッジ部が球状表面に複数個、バランス良く配置されことが好ましい。配置される上記非円形形状リッジ部の総数に特に制限はないが、上記非円形形状リッジ部の形状、大きさや、他に採用される種々形状のリッジ部の形状、大きさ、個数等を鑑みて、適宜設定することができる。
【００１２】
また、上記非円形形状リッジ部をバランス良く球状表面に配置する観点から、球面２０面体、球面１２面体、球面８面体等の球面多面体を、上記非円形形状リッジ部を配置する際の基準多面体として利用することが好適である。
【００１３】
本発明における前記非円形形状リッジ部は、球状表面に個々の非円形形状リッジ部が独立するように配置しても、全ての非円形形状リッジ部が互いに交差するように配置しても、一部の非円形形状リッジ部のみが互いに交差するように配置してもよい。また、上記非円形形状リッジ部内及び／又は同リッジ部外の部分に、このリッジ部と相似形状のより小さいリッジ部を配置しても良いし、上記非円形形状リッジ部内及び／又は同リッジ部外の部分に、円形環状に延びるリッジ部を配置することも可能である。
【００１４】
本発明において、前記非円形形状リッジ部その他本発明のゴルフボール表面上に一体に突設されるリッジ部の頂部輪郭形状については特に制限はなく、本発明の目的を損なわない範囲で適宜設定することができるが、例えば円弧状、放物線状、三角形状，四角形状，五角形状などの多角形状（好ましくは正多角形状）等の形状が挙げられる。リッジ部の頂部位置での面積（従来の技術でいうところの「球状表面としての陸部面積」）の低減の観点、及びリッジ部の耐久性の観点から、リッジ部の頂部輪郭形状としては、中でも円弧状または放物線状の形状であることが好ましい。
リッジ部の頂部輪郭が円弧状である場合、当該円弧の曲率半径としては、０．２〜２．０ｍｍであることが好ましい。円弧の半径が０．２ｍｍより小さいと、ボールを打撃したとき削られ易いためリッジ部の耐久性が低下する場合があり、２．０ｍｍより大きいと、リッジ部の頂部位置での面積が増え過ぎて空気抵抗が増加し易くなる場合がある。
【００１５】
前記リッジ部の輪郭形状について、頂部から球状表面に連なる裾部の形状についても、本発明の目的を損なわない範囲でその形状を適宜設定することができるが、ゴルフボール塗装時に塗膜を、リッジ部を含めて球面上に均一形成する観点や、ボール上に種々のマークを印刷する際の、リッジ部を含む球面上の転写性の観点から、リッジ部の裾部輪郭は、ゴルフボールの中心方向に向けて凸状の円弧形状であることが好ましい。
リッジ部の裾部輪郭が、ゴルフボール中心方向に向けて凸状の円弧形状を有する場合、この円弧の曲率半径としては、０．５〜１０ｍｍであることが好ましい。当該範囲を外れると、ゴルフボール塗装時に塗膜を、リッジ部を含めて球面上に均一形成することができない場合や、ボール上に種々のマークを印刷する際に、リッジ部を含む球面上の転写性が低下する場合がある。
【００１６】
前記非円形形状リッジ部その他本発明のゴルフボール表面上に一体に突設されるリッジ部の、球状表面を基準とした高さとしては、通常０．０５〜０．４ｍｍ、好ましくは０．１〜０．２５ｍｍである。高さが０．０５ｍｍより小さくても、高さが０．４ｍｍより大きくても、ゴルフボールの空気力学的性能が損なわれて飛距離に劣る場合がある。
なお、空気力学的性能の観点から、前記非円形形状リッジ部その他本発明のゴルフボール表面上に一体に突設されるリッジ部の高さは、ゴルフボール表面全面に亘り均一であることが好ましい。
【００１７】
本発明のゴルフボールにおいては、上記非円形形状リッジ部や上記種々形状のリッジ部に加え、種々形状の窪みを形成することも好適に行われる。
上記窪みの平面視形状としては特に限定されないが、円形、楕円形、三角形、四角形、五角形等の凸多角形（正凸多角形を含む）、星形等の凹多角形（正凹多角形を含む）等が挙げられる。
これら窪みの深さ方向の形状についても特に限定されるものではなく、ボールの中心に向かって突出した曲面を有しても良いし、底部が平坦に形成されていてもよい。
球状表面を基準とした上記窪みの最大深さとしては、０．０５〜０．４ｍｍが好ましく、０．１〜０．２５ｍｍがより好ましい。最大深さが０．０５ｍｍより小さくても、最大深さが０．４ｍｍより大きくても、ゴルフボールの空気力学的性能が損なわれて飛距離に劣る場合がある。
なお、空気力学的性能の観点から、前記窪みの最大深さは、ゴルフボール表面全面に亘り均一であることが好ましい。
【００１８】
本発明においてゴルフボール半径とは、ゴルフボールの中心から上記リッジ部の頂部に至る放射方向の距離であって、ゴルフボールのルールに適合するように適宜設定される。
【００１９】
本発明のゴルフボールの表面は上記構成を有するため、ゴルフボール半径位置（非円形形状リッジ部その他本発明のゴルフボール表面上に一体に突設されるリッジ部の頂部位置）における仮想球面の面積に占める、上記リッジ部の頂部位置における表面積（従来の技術でいうところの、ディンプルの配置によって形成される球状表面としての陸部（球状表面の残部）面積）の割合は非常に小さなものである。特に、リッジ部の頂部輪郭が円弧状あるいは放物線状である場合には、リッジ部の頂部位置における表面積の、ボール半径位置（リッジ部の頂部位置）における仮想球面の面積に対する占有率、或いは、ボール表面積に対する占有率を実質上０％、または０％に著しく近い値とすることが可能であり、飛行時における空気抵抗の低減に非常に有利である。
【００２０】
【発明の実施の形態及び実施例】
以下、本発明を図面に基づき説明する。
図１は、本発明における第１実施例を説明する、ゴルフボール１の概略平面図である。
このゴルフボール１は、球状表面１０上に上記非円形形状リッジ部として星形状リッジ部１１と、ゴルフボールの最大円に沿って延びるリッジ部１２とが突設されたものであり、星形状リッジ部１１とゴルフボールの最大円に沿って延びるリッジ部１２とが、球状表面１０上にバランス良く配置されている。
【００２１】
ゴルフボール１においては星形状リッジ部１１の配置にあたり、球面２０面体配置が適用されている。図１上に、球面２０面体を構成するユニット三角形１３を２点鎖線で示した。ユニット三角形１３の３つの頂点１３１位置には、該頂点１３１と同心を有する星形状リッジ部１１が配置されている。
図１にはユニット三角形として、ユニット三角形１３のみが図示されているが、ユニット三角形は球状表面全面に亘って配置され、夫々のユニット三角形をもとに、上記星形状リッジ部１１が上記と同様に配置されている。従って、ユニット三角形１３の各頂点には５つの隣接するユニット三角形の頂点が共通して位置し、当該ユニット三角形１３内には星形状リッジ部１１全体の１／５の部分が配置されている（以下の第２実施例〜第６実施例においても同様である）。
【００２２】
図２は、本発明における第２実施例を説明する、ゴルフボール２の概略平面図である。
このゴルフボール２の球状表面２０上には、２種類の大きさの星形状リッジ部２１，２２と、単一の大きさの比較的小さな円形環状リッジ部２３とがバランス良く配置されている。ゴルフボール２においても、上記星形状リッジ部２１，２２を配置するにあたっては、球面２０面体を基準としている。球面２０面体を構成するユニット三角形２４を、図２に２点鎖線で示した。
【００２３】
ゴルフボール２において、星形状リッジ部２１は、ユニット三角形２４の３つの頂点２４１を同心として配置され、該星形状リッジ部２１内には、これと同心を有するやや小さな星形状リッジ部２２が配置されている。また、ユニット三角形２４の内部領域には、単一の大きさの比較的小さな円形環状リッジ部２３が３個、ユニット三角形２４の形状に即してバランス良く配置されている。
【００２４】
図３は、本発明における第３実施例を説明する、ゴルフボール３の概略平面図である。
このゴルフボール３の球状表面３０上には、星形状リッジ部３１と比較的小さな円形環状リッジ部３２とが、球面２０面体を構成するユニット三角形３３を基準としてバランス良く配置されている。
ゴルフボール３において、星形状リッジ部３１は、ユニット三角形３３の３つの頂点３３１を同心として配置され、該星形状リッジ部３１内には、これと同心を有するやや小さな円形環状リッジ部３２が配置されている。
また、ユニット三角形３３の内部領域には、上記の円形環状リッジ部３２が３個、ユニット三角形３３の形状に即してバランス良く配置されている。
【００２５】
図４は、本発明における第４実施例を説明する、ゴルフボール４の概略平面図である。
このゴルフボール４においては、球状表面４０上に２種類の大きさの星形状リッジ部４１，４２と、比較的小さな単一の大きさの円形環状リッジ部４３と、二種類の大きさの直線状リッジ部４４，４５と、３種類の大きさの楔状リッジ部４６，４７，４８とがバランス良く配置されている。各リッジ部の配置にあたっては他の実施例と同様、球面２０面体を構成するユニット三角形４９が適用されている。
【００２６】
星形状リッジ部４１は、ユニット三角形４９の３つの頂点４９１を同心として配置され、星形状リッジ部４１内には、これと同心を有するやや小さな星形状リッジ部４２が配置されている。
星形状リッジ部４１と４２との間の領域には、ユニット三角形の中心４９２とユニット三角形の頂点４９１とを結ぶ方向に沿って直線状リッジ部４４が３本所定間隔を置いて配置されると共に、ユニット三角形４９の各辺４９３を跨ぐようにして楔状リッジ部４６が、上記直線状リッジ部４４と間隔及び配置位置の面で関係を持たせて配列されている。
また、ユニット三角形の中心４９２と同心に比較的小さな円形環状リッジ部４３が配置され、該円形環状リッジ部４３と星形状リッジ部４１との間の領域には、ユニット三角形の中心４９２とユニット三角形の頂点４９１とを結ぶ方向に沿って比較的長い直線状リッジ部４５が３本所定間隔を置いて配置されると共に、それら直線状リッジ部４５が配置されない領域には楔状の大小２個のリッジ部４７，４８が、上記３本の直線状リッジ部４５と間隔及び配置方向等バランスを持たせて配置されている。
【００２７】
図５は、本発明における第５実施例を説明する、ゴルフボール５の概略平面図である。
このゴルフボール５においては、球状表面５０上に球面２０面体を構成するユニット三角形５１の各頂点５１１を同心として、星形状リッジ部５２が配置されると共に、ユニット三角形５１の３つの各頂点５１１を同心として比較的直径が大きな円形窪み５３１が配置され、円形窪み５３１と星形状リッジ部５２の凸部との間の領域には、比較的小さな円形窪み５３２が夫々所定の間隔をおいて２個配置されると共に、星形状リッジ部５２の凹部とユニット三角形の頂点５１１を同心として位置する上記円形窪み５３１との間の領域には、円形窪み５３１より小さく上記円形窪み５３２よりも大きな円形窪み５３３が配置される一方、ユニット三角形５１の中心部には、上記円形窪み５３３と同一の大きさの窪みが３個、また、当該ユニット三角形５１の中心部に配置された３個の円形窪みとユニット三角形の各辺５１３との間の領域には、上記円形窪み５３３と同一の大きさの窪みが４個、バランス良く配置されている。
さらに、星形状リッジ部５２と、ユニット三角形５１の中心部に配置された上記円形窪み５３３と同一の大きさを有する３個の円形窪みとの間の領域には、多角形窪み（菱形窪み）５４が配置されている。
【００２８】
図６は、本発明における第６実施例を説明する、ゴルフボール６の概略平面図である。
このゴルフボール６においては、球状表面６０上に単一の大きさの円形環状リッジ部６１と、円形環状リッジ部６１を連接する直線状リッジ部６２とがバランス良く配置されている。ゴルフボール６においても、上記円形環状リッジ部６１あるいは直線状リッジ部６２を配置するにあたっては、球面２０面体が適用されている。球面２０面体を構成するユニット三角形６３を、図６に２点鎖線で示した。
ゴルフボール６において、円形環状リッジ部６１は、上記ユニット三角形６３の３つの頂点６３１位置、ユニット三角形の各辺の中点６３２位置、ユニット三角形の中心６３３位置、さらにユニット三角形の中心６３３位置と各頂点６３１位置とのほぼ中点位置をそれぞれ同心として設けられ、それぞれの円形環状リッジ部６１は、比較的短い直線状リッジ部６２によって適宜連接されている。従って、ゴルフボールの球状表面６０上には、比較的小さな多数の三角形状の区域が形成されることとなり、該三角形状の区域は、非円形形状リッジ部により区分けされることとなっている。
【００２９】
図７は、図１に示したゴルフボール１表面に配置された非円形形状リッジ部の断面図（図１におけるＡ−Ａ断面図）である。上記ゴルフボール２〜ゴルフボール６においても同様の断面形状のリッジ部が採用されている。
図７に示すように、上記リッジ部は頂部位置において円弧状の輪郭断面形状を有し、その頂部における曲率半径がＲｔである。また、球状表面Ｓｒの延長線である球状表面仮想線Ｓｉを基準としたリッジ部の高さをｈで示している。
本発明の実施例であるゴルフボール１〜ゴルフボール６において、リッジ部の頂部から球状表面に連なる裾部の形状としてはゴルフボール中心方向に向けて凸状の円弧状曲面を有するものであり、この円弧の曲率半径がＲｂである。
【００３０】
【発明の効果】
本発明のゴルフボールによれば、球状表面に、非円形形状リッジ部を一体に突設することによって、打球の空気抵抗を減少させ、ゴルフボールの飛び性能を飛躍的に増大させることが可能となる。
【図面の簡単な説明】
【図１】本発明の第１実施例を説明する、ゴルフボールの概略平面図である。
【図２】本発明の第２実施例を説明する、ゴルフボールの概略平面図である。
【図３】本発明の第３実施例を説明する、ゴルフボールの概略平面図である。
【図４】本発明の第４実施例を説明する、ゴルフボールの概略平面図である。
【図５】本発明の第５実施例を説明する、ゴルフボールの概略平面図である。
【図６】本発明の第６実施例を説明する、ゴルフボールの概略平面図である。
【図７】本発明の第１実施例に用いた非円形形状リッジ部の、断面形状を説明する概略図である。
【符号の説明】
１  ゴルフボール
１０  球状表面
１１  星形状リッジ部
１２  ゴルフボールの最大円に沿って延びるリッジ部
１３  ユニット三角形
Ａ  リッジ部断面切断端点
ｈ  リッジ部の高さ
Ｒｔ  リッジ部の頂部における曲率半径
Ｒｂ  リッジ部の頂部から球状表面に連なる裾部における曲率半径
Ｓｒ  球状表面
Ｓｉ  球状表面仮想線
【図１】
2004194774.tif 000003
【図２】
2004194774.tif 000004
【図３】
2004194774.tif 000005
【図４】
2004194774.tif 000006
【図５】
2004194774.tif 000007
【図６】
2004194774.tif 000008
【図７】
2004194774.tif 000009